(57)【要約】【課題】外観を良好に維持することができる記録装置を提供する。【解決手段】インクジェット式プリンターは、一部に開口部２６を有する筐体１２と、開口部２６を開閉可能なインクカバー１５と、第１軸部２９を介して筐体１２に回動可能に連結されるとともに第２軸部３０を介してインクカバー１５が回動可能に連結される連結部材２８とを備える。インクカバー１５は、第１軸部２９を回動中心とした連結部材２８の回動により、閉位置と、閉位置からの回動角度が９０°未満となる第１開位置との間で回動可能とされ、且つ第１開位置に位置決めされている状態において設定された大きさ以上の外力を受けた場合に第２軸部３０を回動中心として閉位置からの回動角度が９０°以上となる第２開位置へ回動される。そして、インクカバー１５が閉位置に位置決めされているときには、インクカバー１５の外観面１５ａと筐体１２の外観面１２ａとが面一となる。【選択図】図４
2016155230.tif 000002
【特許請求の範囲】
【請求項１】
一部に開口部を有する筐体と、
前記開口部を開閉可能な蓋部材と、
第１軸部を介して前記筐体に回動可能に連結されるとともに、前記第１軸部と平行な第２軸部を介して前記蓋部材が回動可能に連結される連結部材とを備え、
前記蓋部材は、
前記第１軸部を回動中心とした前記連結部材の回動により、前記開口部を覆う閉位置と、前記開口部を露出させるとともに前記筐体に対する前記閉位置からの回動角度が９０°未満となる第１開位置との間で回動可能であって、且つ前記閉位置及び前記第１開位置の両方においてそれぞれ位置決め可能であり、さらに前記第１開位置に位置決めされている状態において前記閉位置からの当該蓋部材の回動量が大きくなる方向に設定された大きさ以上の外力を受けた場合に、前記第２軸部を回動中心として前記筐体に対する前記閉位置からの回動角度が９０°以上となる第２開位置へ回動され、
前記蓋部材が前記閉位置に位置決めされているときには、当該蓋部材の外観面と前記筐体の外観面とが面一であることを特徴とする記録装置。
【請求項２】
前記筐体には、媒体の記録を行うための消耗品が前記開口部から装着されることを特徴とする請求項１に記載の記録装置。
【請求項３】
前記筐体における前記蓋部材と隣り合う位置には、メンテナンスを行う際に開閉される開閉カバーが回動可能に設けられていることを特徴とする請求項１または請求項２に記載の記録装置。
【請求項４】
前記開閉カバーが閉じられた状態では、前記開閉カバーの外観面と前記筐体の外観面とが面一であることを特徴とする請求項３に記載の記録装置。
【請求項５】
前記開閉カバーが開けられた状態では、媒体に記録を行うための記録部が露出することを特徴とする請求項３または請求項４に記載の記録装置。
【請求項６】
前記蓋部材は、前記閉位置にあるときに前記筐体のコーナー部に配置され、断面視でＬ字状をなしていることを特徴とする請求項１〜請求項５のうちいずれか一項に記載の記録装置。
【発明の詳細な説明】
【技術分野】
【０００１】
本発明は、例えばプリンターなどの記録装置に関する。
【背景技術】
【０００２】
従来、記録装置としては、特許文献１に記載されたプリンターが知られている。このようなプリンターは、フレーム部と、フレーム部に開閉可能に軸支されてプリンターの正面側全体を覆う前面カバーとを備えている。前面カバーの端部には軸部を有したヒンジ部が設けられ、フレーム部の端部には軸部が嵌合する軸受穴を有した軸受部がヒンジ部と対応するように設けられている。
【０００３】
前面カバーは、プリンターの正面側全体を覆う閉塞位置と、プリンターの正面側全体を開放する開放位置との間で、軸部を中心として回動可能に構成されている。軸受部には、前面カバーが開放位置にあるときにヒンジ部の側部が当接することで、前面カバーを閉塞位置から９０°以上回動した開放位置で止める当接部が設けられている。そして、前面カバーを開放することで、プリンターに内蔵されたテープカセットが着脱可能とされている。
【先行技術文献】
【特許文献】
【０００４】
【特許文献１】特開２０１０−２３８８５１号公報
【発明の概要】
【発明が解決しようとする課題】
【０００５】
ところで、上述のようなプリンターにおいて、プリンターの正面側の中央部に前面カバーのヒンジ部が取着される軸受部を設けて、プリンターの正面側の一部が前面カバーによって開閉される構成にした場合には、前面カバーを開放位置に回動させた際に前面カバーを逃がすための段差をプリンターの正面側に設ける必要がある。このため、プリンターの外観が損なわれてしまうという問題がある。
【０００６】
本発明は、このような従来技術に存在する問題点に着目してなされたものである。その目的とするところは、外観を良好に維持することができる記録装置を提供することにある。
【課題を解決するための手段】
【０００７】
以下、上記課題を解決するための手段及びその作用効果について記載する。
上記課題を解決する記録装置は、一部に開口部を有する筐体と、前記開口部を開閉可能な蓋部材と、第１軸部を介して前記筐体に回動可能に連結されるとともに、前記第１軸部と平行な第２軸部を介して前記蓋部材が回動可能に連結される連結部材とを備え、前記蓋部材は、前記第１軸部を回動中心とした前記連結部材の回動により、前記開口部を覆う閉位置と、前記開口部を露出させるとともに前記筐体に対する前記閉位置からの回動角度が９０°未満となる第１開位置との間で回動可能であって、且つ前記閉位置及び前記第１開位置の両方においてそれぞれ位置決め可能であり、さらに前記第１開位置に位置決めされている状態において前記閉位置からの当該蓋部材の回動量が大きくなる方向に設定された大きさ以上の外力を受けた場合に、前記第２軸部を回動中心として前記筐体に対する前記閉位置からの回動角度が９０°以上となる第２開位置へ回動され、前記蓋部材が前記閉位置に位置決めされているときには、当該蓋部材の外観面と前記筐体の外観面とが面一である。
【０００８】
この構成によれば、蓋部材が閉位置に位置決めされているときには、当該蓋部材の外観面と前記筐体の外観面とが面一であるため、外観を良好に維持することができる。
上記記録装置において、前記筐体には、媒体の記録を行うための消耗品が前記開口部から装着されることが好ましい。
【０００９】
この構成によれば、開口部から筐体に対して装着された消耗品を蓋部材によって保護することができる。
上記記録装置において、前記筐体における前記蓋部材と隣り合う位置には、メンテナンスを行う際に開閉される開閉カバーが回動可能に設けられていることが好ましい。
【００１０】
この構成によれば、開閉カバーを開けることで、筐体内のメンテナンスを容易に行うことができる。
上記記録装置において、前記開閉カバーが閉じられた状態では、前記開閉カバーの外観面と前記筐体の外観面とが面一であることが好ましい。
【００１１】
この構成によれば、外観を良好に維持することができる。
上記記録装置において、前記開閉カバーが開けられた状態では、媒体に記録を行うための記録部が露出することが好ましい。
【００１２】
この構成によれば、開閉カバーを開けることで、記録部のメンテナンスを容易に行うことができる。
上記記録装置において、前記蓋部材は、前記閉位置にあるときに前記筐体のコーナー部に配置され、断面視でＬ字状をなしていることが好ましい。
【００１３】
この構成によれば、蓋部材を筐体のコーナー部に合わせて閉じることができるので、外観を良好に維持することができる。
【図面の簡単な説明】
【００１４】
【図１】一実施形態のインクジェット式プリンターの斜視図。
【図２】インクジェット式プリンターにおいて排紙カバーを開いて排紙トレイを引き出したときの状態を示す斜視図。
【図３】インクジェット式プリンターにおいてインクカバーを第1開位置へ回動させたときの状態を示す斜視図。
【図４】図１の要部拡大断面図。
【図５】図４の要部拡大図。
【図６】図１の要部拡大断面図。
【図７】図３の要部拡大断面図。
【図８】図３の要部拡大断面図。
【図９】インクジェット式プリンターにおいて係止部材が連結部材の係止凸部を係止したときの状態を示す斜視図。
【図１０】インクジェット式プリンターにおいてインクカバーを第２開位置へ回動させたときの状態を示す要部拡大断面図。
【図１１】図１０の要部拡大図。
【図１２】インクジェット式プリンターにおいてインクカバーを第２開位置へ回動させたときの状態を示す斜視図。
【図１３】インクジェット式プリンターにおいて開閉カバーが開けられたときの状態を示す斜視図。
【図１４】図１３の要部拡大模式斜視図。
【図１５】インクジェット式プリンターにおいて、（ａ）は開閉カバーが閉じられた位置にあるときの状態を示す要部拡大模式断面図、（ｂ）は開閉カバーが開けられた位置にあるときの状態を示す要部拡大模式断面図、（ｃ）は開閉カバーが退避位置にあるときの状態を示す要部拡大模式断面図。
【発明を実施するための形態】
【００１５】
以下、記録装置をインクジェット式プリンターに具体化した一実施形態を図面に基づいて説明する。
図１に示すように、記録装置の一例としてのインクジェット式プリンター１１は、略直方体状をなす筐体１２を備えている。筐体１２の前面の右上部には、インクジェット式プリンター１１の各種の操作をするための操作部１３が設けられている。操作部１３は、ユーザーによって操作される操作ボタン１３ａや各種の情報が表示される表示パネル１３ｂを備えている。
【００１６】
筐体１２の前面の下部における左右方向の中央部には、排紙カバー１４が開閉自在に設けられている。筐体１２における排紙カバー１４の上側であって操作部１３の左側には、蓋部材の一例としてのインクカバー１５が開閉自在に設けられている。筐体１２の上面におけるインクカバー１５の後側には、インクカバー１５と隣り合うように開閉カバー１６が開閉自在に設けられている。
【００１７】
筐体１２の上面における開閉カバー１６の後側には、給紙トレイ１７が開閉自在に設けられている。開閉カバー１６は左右両端部が後方に向かって突出した略Ｕ字状をなしており、開閉カバー１６の左右両端部の後方への突出部分は左右方向において給紙トレイ１７を挟んでいる。筐体１２の上面における開閉カバー１６の左右両端部の後方への突出部分の後側は、開閉カバー１６の上面と面一になっている。なお、給紙トレイ１７の上面は、開閉カバー１６の上面よりも若干低くなっている。
【００１８】
図２に示すように、排紙カバー１４を開けると、筐体１２内に収容されている排紙トレイ２０が露出する。排紙トレイ２０は、筐体１２内から前方に向かって引き出し可能とされている。さらに、排紙トレイ２０は、その下面側に引き出し可能な排紙補助トレイ２１を有しており、排紙補助トレイ２１を前方に向かって引き出すことで伸長可能とされている。
【００１９】
筐体１２内には、媒体の一例としての用紙Ｐに印刷（記録）を行うための記録部２２が設けられている。記録部２２は、走査方向となる左右方向に沿って往復移動可能なキャリッジ２３と、キャリッジ２３の下部に支持されて液体の一例としてのインクを吐出可能な記録ヘッド２４とを備えている。
【００２０】
そして、キャリッジ２３とともに記録ヘッド２４を左右方向に移動させながら筐体１２内を後方側から前方側に向かって搬送される用紙Ｐに対して記録ヘッド２４からインクを吐出することで、用紙Ｐに画像の印刷が行われる。画像が印刷された用紙Ｐは、排紙トレイ２０上に排紙される。
【００２１】
図２及び図３に示すように、インクカバー１５は、筐体１２における前面上部の一部から上面前部の一部にかけて形成された開口部２６を、回動することによって開閉する。すなわち、インクカバー１５は、筐体１２における前面上部の一部、上面前部の一部、及び左側面の前上部にかけての部分を覆うように設けられている。
【００２２】
そして、筐体１２には、用紙Ｐの印刷（記録）を行うための消耗品の一例としてのインクカートリッジ２７が開口部２６から着脱自在に装着される。本実施形態では、筐体１２に対して、異なる色のインクが収容された複数（９個）のインクカートリッジ２７が左右方向に並ぶようにそれぞれ装着される。各インクカートリッジ２７内のインクは、インク供給チューブ（図示略）を介して記録ヘッド２４に供給される。
【００２３】
図３及び図４に示すように、インクカバー１５は、略Ｕ字状をなす左右一対の連結部材２８を介して筐体１２に連結されている。すなわち、各連結部材２８の一端部は左右方向に延びる円筒状の第１軸部２９を介してねじ３１により筐体１２に対して回動可能に連結されるとともに、各連結部材２８の他端部には第１軸部２９と平行な凸部によって構成された一対の第２軸部３０を介してインクカバー１５が回動可能に連結されている。
【００２４】
図４及び図６に示すように、インクカバー１５の内面には、各連結部材２８の一対の第２軸部３０が連結される一対の連結板３２が設けられている。一対の連結板３２は孔３２ａを有しており、一対の連結板３２の孔３２ａには一対の第２軸部３０が回動可能に挿入されている。各連結部材２８の中間部における左右方向の外側の面に形成された溝３４には、半球状の係止凸部３３がばね（図示略）を介して出没自在に設けられている。
【００２５】
図５及び図８に示すように、一対の連結板３２間には補強板３５が架設されており、補強板３５とインクカバー１５の内面との間には隙間Ｓが形成されている。各連結部材２８における第２軸部３０側の端部の先端には、隙間Ｓにおいて補強板３５によって係止される弾性変形可能な被係止部３６が形成されている。そして、補強板３５によって被係止部３６が係止されることで、第２軸部３０を回動中心としたインクカバー１５の回動が規制される。
【００２６】
図４及び図７に示すように、インクカバー１５は、第１軸部２９を回動中心とした連結部材２８の回動により、開口部２６を覆う閉位置（図４で示す位置）と、開口部２６を露出させるとともに筐体１２に対する閉位置からの回動角度が９０°未満（本実施形態では７０°程度）となる第１開位置（図７で示す位置）との間で回動可能になっている。インクカバー１５は、筐体１２の前面の当接部３７に当接することで、閉位置で位置決めされる。
【００２７】
そして、インクカバー１５は、閉位置にあるときに筐体１２の上面と前面との間のコーナー部Ｋに配置され、断面視でＬ字状をなしている。さらに、インクカバー１５が閉位置で位置決めされているときには、インクカバー１５の外観面１５ａと筐体１２の外観面１２ａとが面一になっている。
【００２８】
図８及び図９に示すように、筐体１２内には、インクカバー１５が閉位置から第１開位置に回動された際に、連結部材２８の係止凸部３３を係止することで、インクカバー１５を第１開位置で位置決めするための係止部材３８が設けられている。さらに、図１０及び図１１に示すように、インクカバー１５が第１開位置に位置決めされている状態において閉位置からの回動量が大きくなる方向に予め設定された大きさ以上の外力を受けた場合、補強板３５による被係止部３６の係止状態が解除される。
【００２９】
このとき、補強板３５による被係止部３６の係止状態が解除されるのに必要な外力の大きさは、インクカバー１５に対して破損する程度の外力が作用しないように設定される。すなわち、インクカバー１５に対して外力が作用しても、インクカバー１５が破損する前に、補強板３５による被係止部３６の係止状態が解除される。
【００３０】
すると、図１０及び図１２に示すように、インクカバー１５は、第２軸部３０を回動中心として筐体１２に対する閉位置からの回動角度が９０°以上（本実施形態では１６０°程度）となる第２開位置へ回動される。したがって、インクカバー１５が第２開位置にあるときには、インクカバー１５が第１開位置にあるときに比べて、開口部２６が大きく露出する。
【００３１】
図１及び図１３に示すように、開閉カバー１６は、インクジェット式プリンター１１のメンテナンスを行う際、すなわち詰まった用紙Ｐを除去したり記録部２２の保守点検を行ったりする際に、回動させることで開閉される。開閉カバー１６が閉じられた状態（図１に示す状態）では、開閉カバー１６の外観面１６ａと筐体１２の外観面１２ａとが面一になっている。一方、開閉カバー１６が開けられた状態（図１３に示す状態）では、記録部２２と記録部２２の移動領域とが露出する。
【００３２】
図１３及び図１５（ａ）に示すように、開閉カバー１６は、略Ｕ字状をなす左右一対の接続部材４０を介して筐体１２に連結されている。すなわち、各接続部材４０の一端部は左右方向に延びる第１軸４１を介して筐体１２に回動可能に連結されるとともに、各接続部材４０の他端部には第１軸４１と平行な第２軸４２を介して開閉カバー１６が回動可能に連結されている。
【００３３】
図１４及び図１５（ａ）に示すように、開閉カバー１６の内面には、接続部材４０の他端部を収容可能なケース部材４３が設けられている。ケース部材４３は、左右両側壁４４と、両側壁４４の端部同士を連結する連結壁４５とを有している。そして、第２軸４２は、接続部材４０の他端部及びケース部材４３の両側壁４４を貫通することで、接続部材４０の他端部をケース部材４３の両側壁４４に対して回動可能に連結している。
【００３４】
ケース部材４３の連結壁４５には、係止孔４５ａが形成されている。接続部材４０における第２軸４２側の端部の先端には、係止孔４５ａによって係止される弾性変形可能なフック部４６が形成されている。そして、係止孔４５ａによってフック部４６が係止されることで、第２軸４２を回動中心とした開閉カバー１６の回動が規制される。
【００３５】
図１５（ａ）及び図１５（ｂ）に示すように、開閉カバー１６は、第１軸４１を回動中心とした接続部材４０の回動により、閉じられた位置（図１５（ａ）で示す位置）と、開けられた位置（図１５（ｂ）で示す位置）との間で回動可能になっている。本実施形態における開閉カバー１６の閉じられた位置から開けられた位置までの回動角度は、１００°程度に設定されている。
【００３６】
さらに、図１５（ｂ）及び図１５（ｃ）に示すように、開閉カバー１６が開けられた位置にある状態において閉じられた位置からの回動量が大きくなる方向に予め設定された大きさ以上の外力を受けた場合、係止孔４５ａによるフック部４６の係止状態が解除される。このとき、係止孔４５ａによるフック部４６の係止状態が解除されるのに必要な外力の大きさは、開閉カバー１６に対して破損する程度の外力が作用しないように設定される。
【００３７】
すなわち、開閉カバー１６に対して外力が作用しても、開閉カバー１６が破損する前に、係止孔４５ａによるフック部４６の係止状態が解除される。すると、図１４及び図１５（ｃ）に示すように、開閉カバー１６は、第２軸４２を回動中心として閉じられた位置からの回動角度が１８０°程度となる退避位置（図１５（ｃ）で示す位置）へ回動される。
【００３８】
次に、インクジェット式プリンター１１におけるインクカートリッジ２７の交換時の作用について説明する。
さて、インクカートリッジ２７の交換を行う場合には、まず、インクカバー１５を閉位置から第１開位置へと回動させる。すると、全てのインクカートリッジ２７が露出し、開口部２６を通じて交換が必要なインクカートリッジ２７の交換を行う。このとき、ユーザーが誤ってインクカバー１５をさらに後方側へ強く押圧してしまった場合には、補強板３５による被係止部３６の係止状態が解除されてインクカバー１５が第１開位置から第２開位置へと回動するため、インクカバー１５の破損が抑制される。
【００３９】
また、筐体１２におけるインクカートリッジ２７の装着部分のメンテナンスなどの細かい作業が必要となる場合においても、ユーザーがインクカバー１５を第１開位置から第２開位置へと回動させることで、開口部２６がさらに大きく露出するので、作業がし易くなる。
【００４０】
そして、インクカートリッジ２７の交換やインクカートリッジ２７の装着部分のメンテナンスの終了後には、インクカバー１５を第１開位置や第２開位置から閉位置へと回動させる。すると、補強板３５によって被係止部３６が再び係止されるとともに、インクカバー１５の外観面１５ａと筐体１２の外観面１２ａとが面一になる。したがって、インクジェット式プリンター１１の外観が良好に維持される。
【００４１】
以上、詳述した実施形態によれば以下の効果を得ることができる。
（１）インクカバー１５が閉位置に位置決めされているときには、インクカバー１５の外観面１５ａと筐体１２の外観面１２ａとが面一になっている。このため、インクジェット式プリンター１１の外観を良好に維持することができる。
【００４２】
（２）インクカバー１５が第１開位置に位置決めされているときに、ユーザーが誤ってインクカバー１５をさらに後方側へ強く押圧してしまった場合には、補強板３５による被係止部３６の係止状態が解除されてインクカバー１５が第１開位置から第２開位置へと回動する。このため、インクカバー１５が破損することを抑制することができる。
【００４３】
（３）筐体１２には、用紙Ｐの印刷を行うためのインクを収容したインクカートリッジ２７が開口部２６から装着される。このため、開口部２６から筐体１２に対して装着されたインクカートリッジ２７をインクカバー１５によって保護することができる。
【００４４】
（４）筐体１２におけるインクカバー１５と隣り合う位置には、メンテナンスを行う際に開閉される開閉カバー１６が回動可能に設けられている。このため、開閉カバー１６を開けることで、筐体１２内のメンテナンスを容易に行うことができる。
【００４５】
（５）開閉カバー１６が閉じられた状態では、開閉カバー１６の外観面１６ａと筐体１２の外観面１２ａとが面一になっている。このため、インクジェット式プリンター１１の外観を良好に維持することができる。
【００４６】
（６）開閉カバー１６が開けられた状態では、用紙Ｐに印刷を行うための記録部２２が露出する。このため、開閉カバー１６を開けることで、記録部２２のメンテナンスを容易に行うことができる。
【００４７】
（７）インクカバー１５は、閉位置にあるときに筐体１２のコーナー部Ｋに配置され、断面視でＬ字状をなしている。このため、インクカバー１５を筐体１２のコーナー部Ｋに合わせて閉じることができるので、インクジェット式プリンター１１の外観を良好に維持することができる。
【００４８】
（変更例）
なお、上記実施形態は以下のように変更してもよい。
・インクカバー１５は、必ずしも閉位置にあるときに筐体１２のコーナー部Ｋに配置される必要はない。また、インクカバー１５は、必ずしも断面視でＬ字状をなしている必要はない。
【００４９】
・開閉カバー１６が開けられた状態では、必ずしも用紙Ｐに印刷を行うための記録部２２が露出する必要はない。
・開閉カバー１６が閉じられた状態では、必ずしも開閉カバー１６の外観面１６ａと筐体１２の外観面１２ａとが面一になっている必要はない。
【００５０】
・メンテナンスを行う際に開閉される開閉カバー１６は、必ずしも筐体１２におけるインクカバー１５と隣り合う位置に設ける必要はない。
・筐体１２には、必ずしも用紙Ｐの印刷を行うためのインクを収容したインクカートリッジ２７が開口部２６から装着される必要はない。
【００５１】
・第１軸部２９及び第２軸部３０の少なくとも一方を連結部材２８とは別体で構成するようにしてもよい。
・インクジェット式プリンター１１は、用紙Ｐの幅全体と対応した長尺状の固定された液滴吐出部を備える、いわゆるラインヘッドタイプに変更してもよい。この場合の液滴吐出部は、ノズルが形成された複数の単位ヘッド部を並列配置することによって印刷範囲が用紙Ｐの幅全体に亘るようにしてもよいし、単一の長尺ヘッドに用紙Ｐの幅全体に亘るように多数のノズルを配置することによって、印刷範囲が用紙Ｐの幅全体に亘るようにしてもよい。
【００５２】
・上記実施形態において、記録装置は、インク以外の他の液体を吐出する液滴吐出装置であってもよい。なお、液滴吐出装置から微小量の液滴となって吐出される液体の状態としては、粒状、涙状、糸状に尾を引くものも含むものとする。また、ここでいう液体は、液滴吐出装置から吐出させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状体を含むものとする。また、物質の一状態としての液体のみならず、顔料や金属粒子などの固形物からなる機能材料の粒子が溶媒に溶解、分散又は混合されたものなども含むものとする。液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液滴吐出装置の具体例としては、例えば、液晶ディスプレイ、ＥＬ（エレクトロルミネッセンス）ディスプレイ、面発光ディスプレイ、カラーフィルターの製造等に用いられる電極材や色材等の材料を分散又は溶解のかたちで含む液体を吐出する液滴吐出装置がある。また、バイオチップ製造に用いられる生体有機物を吐出する液滴吐出装置、精密ピペットとして用いられ試料となる液体を吐出する液滴吐出装置、捺染装置やマイクロディスペンサー等であってもよい。さらに、時計やカメラ等の精密機械にピンポイントで潤滑油を吐出する液滴吐出装置、光通信素子等に用いられる微小半球レンズ（光学レンズ）などを形成するために紫外線硬化樹脂等の透明樹脂液を基板上に吐出する液滴吐出装置であってもよい。また、基板などをエッチングするために酸又はアルカリ等のエッチング液を吐出する液滴吐出装置であってもよい。
【符号の説明】
【００５３】
１１…記録装置の一例としてのインクジェット式プリンター、１２…筐体、１２ａ…筐体の外観面、１５…蓋部材の一例としてのインクカバー、１５ａ…インクカバーの外観面、１６…開閉カバー、１６ａ…開閉カバーの外観面、２２…記録部、２６…開口部、２７…消耗品の一例としてのインクカートリッジ、２８…連結部材、２９…第１軸部、３０…第２軸部、Ｋ…コーナー部、Ｐ…媒体の一例としての用紙。
【図１】
2016155230.tif 000003
【図２】
2016155230.tif 000004
【図３】
2016155230.tif 000005
【図４】
2016155230.tif 000006
【図５】
2016155230.tif 000007
【図６】
2016155230.tif 000008
【図７】
2016155230.tif 000009
【図８】
2016155230.tif 000010
【図９】
2016155230.tif 000011
【図１０】
2016155230.tif 000012
【図１１】
2016155230.tif 000013
【図１２】
2016155230.tif 000014
【図１３】
2016155230.tif 000015
【図１４】
2016155230.tif 000016
【図１５】
2016155230.tif 000017